(57)【特許請求の範囲】
【請求項１】
植物の栽培マットを収納するトレイと、トレイの下端を支持する脚部とを備え、トレイは垂直な壁面に沿って上下に設けており、トレイの底部は下方が上方よりも垂直壁面から離れるように傾斜しており、トレイの底部と脚部との各々に水抜き穴が設けてあり、脚部に設けた水抜き穴は下トレイの栽培マット上部表面の上方に位置し、トレイ底部の水抜き穴から落下した水を脚部で受けた後に脚部の水抜き穴から、下トレイの栽培マット上部表面に水を落下することを特徴とする緑化装置。
【発明の詳細な説明】
【０００１】
【発明の属する技術分野】
本発明は、植物を植えるトレイを垂直な壁面に設置してなる緑化装置に関する。
【０００２】
【従来の技術】
従来、垂直な壁面を緑化する緑化装置では、横材と縦材とを組み付けて構成したパネルを垂直な壁面に沿って設け、地面に植えたつる性植物をパネルに這わせる技術が公知である。一方、平面を緑化する緑化装置では、特開平１１−９１０５号公報にあるように、栽培マットを収納したトレイを平地に載置し、栽培マットを収納するトレイには隣接するトレイとの仕切り板に水抜き穴を設け、隣接するトレイに水を供給する技術が開示されている。更にこの公報の技術では、トレイの底部に水抜き穴を設けることも開示されている。
【０００３】
【発明が解決しようとする課題】
しかし、つる性植物を壁面に設けたパネルに這わせるという従来技術の場合には、植物が地面から垂直な壁面の上に達するまで、植物の成長を待たなければならず、緑化に長期間を要するという問題がある。一方、上述の公報に開示の技術では、横に隣合わせに設けたトレイに水をいきわたらせることができるが、上下に設けたトレイに水を供給するものではない。また、垂直な壁面に植物を植えたトレイを設ける従来技術はない。
【０００４】
そこで、本発明は、緑化が短期間でできると共に、各トレイが雨水を受けやすく且つ上下のトレイに容易に水をいきわたらせることができる緑化装置の提供を目的とする。
【０００５】
【課題を解決するための手段】
請求項１に記載の発明は、植物の栽培マットを収納するトレイと、トレイの下端を支持する脚部とを備え、トレイは垂直な壁面に沿って上下に設けており、トレイの底部は下方が上方よりも垂直壁面から離れるように傾斜しており、トレイの底部と脚部との各々に水抜き穴が設けてあり、脚部に設けた水抜き穴は下トレイの栽培マット上部表面の上方に位置し、トレイ底部の水抜き穴から落下した水を脚部で受けた後に脚部の水抜き穴から、下トレイの栽培マット上部表面に水を落下することを特徴とする。
【０００６】
この請求項１に記載の発明では、緑化装置は、栽培マットの表面を垂直な壁面に対して傾斜して設けているため、栽培マットの表面が上を向いているので、雨が降った場合には、栽培マットの表面が雨水を受けやすい。
また、トレイが受けた水は、水抜き穴から落下し、下トレイの栽培マットの上部がトレイの水抜き穴から落下した水を受け、順次下トレイの栽培マットに水が供給される。
従って、最上のトレイが水を受ければ、最下のトレイに至るまで各トレイに収納された栽培マットに水をいきわたすことができるので、植物に水を与えるときには、最上のトレイの栽培マットにのみ植物用の水を散水すればよく、すべてのトレイに散水しなくて済む。
更に、垂直な壁面に植物を植えるトレイを上下に設けているので、植物は上のトレイまで成長すればよく、垂直な壁面の下から上まで植物の成長を待つ必要がないので、短期間で垂直な壁面を緑化することができる。
底部の水抜き穴から落下した水を一端脚部で受けた後に、下トレイの栽培マット上部表面に水を落下させるので、水の飛翔を防止できる。
【０００７】
【発明の実施の形態】
以下に、添付図面を参照して、本発明の実施の形態を詳細に説明する。図１は図２に示す緑化装置のトレイを拡大して示す断面図であり、図２は垂直な壁面に緑化装置を取り付けた状態を示す断面図であり、図３は、図１に示す緑化装置のトレイであって、栽培マットと土壌の移動防止部を除いた状態の正面図である。
本実施の形態に係る緑化装置１は、トレイ３と、取付具５とを備えており、植物の栽培マット７が収納されたトレイ３を、建物の垂直な外壁、道路の防音壁等の垂直な壁面２に設置するものである。
トレイ３は、平面視が矩形に形成されており、上側壁９、下側壁１１、左右の横側壁１３、底部１５を備えており、傾斜した底部１５の下部には脚部１７が設けられている。横側壁１３は盲板を底部１５及び脚部１７にねじ止めして固定されている。
上側壁９には、係合部１９が設けられており、上にあるトレイ３の脚部１７が係合可能になっている。尚、脚部１７の係合については、後述する。また、底部１５の上側にはねじ止め部２１が設けられており、ねじ止め部２１は固定取付具５にねじ固定されている。
脚部１７は、トレイ３の下部において底部１５から垂直な壁面２側に突設しており、先端部に係止部２３が設けられている。この脚部１７は、本実施の形態では金属板である。係止部２３は、下にあるトレイ３の係合部１９に係合し、トレイ３の下部を下のトレイ３に固定している。このように、ねじ等を用いることなく係合によりトレイ３の下部を下のトレイ３に固定するので、ねじ止め作業が少なくて済み、施工が容易である。尚、トレイ３の底部１５には上下方向の略中央に脚部１７の補強部材２５が設けられており、補強部材２５は脚部１７に接続されている。
トレイ３の底部１５には、上下方向の略中央に水抜き穴２７が設けられている。水抜き穴２７は、間隔をおいて複数形成されており、トレイ３内の水を落下させ、底部１５から落下した水を板状の脚部１７が受けている。
板状の脚部１７にも水抜き穴３０が形成されており、脚部１７が受けた水滴を下のトレイ３に向けて落下させている。水抜き穴３０は、下トレイ３に収納された栽培マット７の傾斜方向における上部７ｂの真上に位置している。
トレイ３内には、底部１５に設けた土壌の移動防止部２９が設けられている。土壌の移動防止部２９は収納されている土壌が傾斜に沿って下方に移動するのを防止するものであり、本実施の形態では、ハニカムである。ハニカムの各穴には土壌が収納されている。
土壌の移動防止部２９の上には、植物４が植えられた栽培マット７が載置されており、この栽培マット７はマット止め具３１によりトレイ内に止められている。マット止め具３１は、底部１５にねじ止めする止め部３３と止め部３３の略中央から立設した通し部３５とから構成されており、通し部３５を栽培マット７に通した後、その先端３５ａを折り曲げて栽培マット７をトレイ３内に保持している。栽培マット７は、養土を含浸させたヤシマットである。
【０００８】
次に、本実施の形態に係る緑化装置１の施工及び作用を説明する。先ず、トレイ３の底部１５にマット止め具３１をねじ止めした後、底部１５に土壌の移動防止部２９を設け、次に、栽培マット７を通し部３５に通す。そして、通し部３５の先端３５ａを折り曲げて栽培マット７をトレイ内に取り付ける。このようにして、栽培マット７を装着したトレイ３を用意しておく。
次に、トレイ３を垂直な壁面２に取り付けるが、トレイ３は、垂直な壁面２の下から順に取りつけていく。まず、最下位置にあるトレイ３は、底部１５の上部にあるねじ止め部２１を予め垂直な壁面２に固定した取付具５にねじ止めし、最下のトレイ３だけは、脚部１７の係止部２３も、取付具５にねじ止めする。尚、脚部１７を止める取付具５はトレイ３の上部を固定するものよりも長くして、係合部１９に係止する場合と壁面２から略同じ位置で固定するようになっている。
次に、上のトレイ３を取り付けるが、上のトレイ３の脚部１７にある係止部２３を係合部１９に係合させ、予め壁面に取り付けておいた取付具５にトレイ３のねじ止め部２１をねじ固定する。このようにして順次に上のトレイ３を取り付けていき、図２に示すように壁面２の最上まで上下のトレイ３を相互に連結する。トレイ３の取付は、最下のトレイを除き、一つのトレイ３に１つの取付具５によるねじ止めで済み、施工作業が容易である。
各トレイ３は、脚部１７の分だけ底部１５の下側が上側よりも壁面２から離れるように突き出るので、底部１５が壁面２に対して傾斜して固定される。従って、栽培マット７の表面が壁面２に対して傾斜する。
各トレイ３では、栽培マット１７の表面７ａを垂直な壁面に対して傾斜して設けているため、雨が降った場合には、各トレイ３の栽培マット７の表面７ａが雨水を受けやすい。特に、風がないため、雨が垂直に落下する場合でも、少なくとも最上にあるトレイ３の栽培マット７の表面７ａが傾斜しているため、上方を向いているので、雨を受けやすい。
最上のトレイ３が受けた雨水等は、栽培マット７に含浸した後、重力に沿って下方に移動して、土壌の移動防止部２９で移動を阻止されている土壌を通り、底部１５に達すると底部１５の傾斜に沿って流れる。底部１５を伝わって流れる水は、一部が水抜き穴２７から下方に落下する。落下した水は、そのまま、栽培マットの上部７ｂに落下してもよいが、本実施の形態では、脚部１７が落下水を受けた後、再び脚部１７に設けられた水抜き穴３０から栽培マット７の上部７ｂに落下する。脚部１７がトレイ３の底部１５から落下水を一旦受けた後、下トレイ３の栽培マット７の上部７ｂの近傍に設けた水抜き穴３０から落下させることにより、水飛沫を防止できる。
このようにして、上トレイ３から下トレイ３の栽培マット７の上部７ｂに順次水が供給される。
従って、最上のトレイ３が水を受ければ、最下のトレイ３に至るまで各トレイ３に水をいきわたすことができるので、植物４に水を与えるときには、最上のトレイ３の栽培マット７にのみ植物用の水を散水すればよく、すべてのトレイ３に散水しなくて済む。
また、栽培マット表面７ａが傾斜しているので、上に向いた面を広くでき、日光を受けやすく、植物も成長しやすい。
そして、各トレイの栽培マット７には植物４植えられているので、垂直な壁面２の下から上まで植物の成長を待つ必要がないので、短期間で垂直な壁面を緑化することができる。
トレイ３と、トレイ３の栽培マット７に植えられた植物とで建物の垂直な壁面２を覆うので、建物の断熱性を高めることができる。本実施の形態では、建物の垂直な壁面とトレイ３との間に空間を設けて空気層を形成しているので、更に断熱性が高い。
【０００９】
本発明は、上述した実施の形態に限らず、本発明の趣旨を逸脱しない範囲で種々変形可能である。
例えば、本実施の形態では、垂直な壁面２に対するトレイ３の傾斜は、トレイ３の下側に脚部１７を設けてトレイ３の下部を上部よりも垂直な壁面２から離れるようにしたが、これに限らず、トレイ３の上部と下部とを取り付けている各取付具５の長さを異にしてもよい。また、脚部１７をトレイ３の傾斜方向の下側に設けることに限らず、傾斜方向の略中央に設けるものであってもよく、トレイ３の傾斜のさせ方は限定されない。
水抜き穴２７、３０はそれぞれ、丸に限らず、長穴であってもよく、その形状や個数は制限されない。
栽培マットの表面７ａの垂直な壁面２に対する傾斜角度は特に制限されない。
脚部１７は板に限らず、底部１５の左右に設けた棒部材であってもよく、この場合には脚部１７に水抜き穴３０を設ける必要がなく、底部１５に設けた水抜き穴２７から下にあるトレイ３の栽培マット７の上部７ｂに直接水を落下させるものであってもよい。この場合、水抜き穴２７の位置は、下にある栽培マットの上部７ｂの真上にあればよい。
上述した実施の形態では、板状の脚部１７が底部１５の水抜き穴２７から落下した水を一旦受けた後に、脚部１７の水抜き穴３０から下の栽培マットに水を供給するので、底部１５に設ける水抜き穴２７の位置は制限されず、例えば、傾斜方向の下部に設けてもよい。
トレイ３は、枠組みしたり、鋳型で製造してもよく、その製造方法は制限されない。
土壌及び移動防止部２９はなくてもよく、トレイに栽培マット１１のみを収納するものであってもよい。
【００１０】
【発明の効果】
請求項１に記載の発明によれば、緑化装置は、栽培マットの表面を垂直な壁面に対して傾斜して設けているため、栽培マットの表面が上を向いているので、雨が降った場合には、栽培マットの表面が雨水を受けやすい。
また、上トレイが受けた水は、底部の水抜き穴から、落下するが、水抜き穴の真下に下トレイの栽培マットの上部があるので、下トレイの栽培マットの上部が上トレイから落下した水を受け、上トレイから下トレイの栽培マットの表面に順次水が供給されるので各トレイに水をいきわたらせることができる。
従って、最上のトレイが水を受ければ、最下のトレイに至るまで各トレイに水をいきわたすことができるので、植物に水を与えるときには、最上のトレイの栽培マットにのみ植物用の水を散水すればよく、すべてのトレイに散水しなくて済む。
また、栽培マットの表面が傾斜しているので、日光を受けやすく、植物が成長しやすい。
更に、垂直な壁面に植物を植えたトレイを上下に設けているので、垂直な壁面の下から上まで植物の成長を待つ必要がないので、短期間で垂直な壁面を緑化することができる。
垂直な壁面が建物の壁面である場合には、トレイとトレイで成長した植物で垂直な壁面を覆うので、建物の断熱性を高めることができる。
底部の水抜き穴から落下した水を一端脚部で受けた後に、下トレイの栽培マット上部表面に水を落下させるので、水の飛翔を防止できる。
【図面の簡単な説明】
【図１】  図２に示す緑化装置のトレイを拡大して示す断面図である。
【図２】  垂直な壁面に緑化装置を取り付けた状態の断面図である。
【図３】  図１に示す緑化装置のトレイであって、栽培マットと土壌の移動防止部を除いた状態の正面図である。
【符号の説明】
１    緑化装置
２    垂直な壁面
３    トレイ
７    栽培マット
７ａ  栽培マットの表面
７ｂ  栽培マットの上部
１５  底部
１７  脚部
２７  水抜き穴
３０  水抜き穴
【図１】
0004465896.tif 000002
【図２】
0004465896.tif 000003
【図３】
0004465896.tif 000004